(57)【要約】【課題】制御プログラムのバージョンの情報を必要なときに取得する上で有利になる貯湯式給湯装置を提供する。【解決手段】貯湯式給湯装置は、水を加熱する加熱手段と、加熱手段により加熱された湯を貯留する貯湯タンクと、給湯機制御部と、給湯機制御部と通信可能に接続され、情報を表示可能な表示部とリモコン制御部とを有するリモコンとを備える。貯湯式給湯装置の電源がオフからオンに切り替えられると、給湯機制御部に記憶された制御プログラムのバージョンの情報と、リモコン制御部に記憶された制御プログラムのバージョンの情報との少なくとも一方を含む情報であるバージョン情報を表示部に表示する。【選択図】図２
2020148393.tif 000002
【特許請求の範囲】
【請求項１】
水を加熱する加熱手段と、前記加熱手段により加熱された湯を貯留する貯湯タンクとを備える貯湯式給湯装置において、
前記貯湯式給湯装置の動作を制御する給湯機制御部と、
前記給湯機制御部と通信可能に接続され、情報を表示可能な表示部と、リモコン制御部とを有するリモコンと、
をさらに備え、
前記貯湯式給湯装置の電源がオフからオンに切り替えられると、前記給湯機制御部に記憶された制御プログラムのバージョンの情報と、前記リモコン制御部に記憶された制御プログラムのバージョンの情報との少なくとも一方を含む情報であるバージョン情報を前記表示部に表示する貯湯式給湯装置。
【請求項２】
水を加熱する加熱手段と、前記加熱手段により加熱された湯を貯留する貯湯タンクとを備える貯湯式給湯装置において、
前記貯湯式給湯装置の動作を制御する給湯機制御部と、
前記給湯機制御部と通信可能に接続され、情報を表示可能な表示部と、リモコン制御部とを有するリモコンと、
をさらに備え、
前記給湯機制御部は、前記貯湯式給湯装置の試運転を行う機能を有しており、
前記試運転が実行されると、前記給湯機制御部に記憶された制御プログラムのバージョンの情報と、前記リモコン制御部に記憶された制御プログラムのバージョンの情報との少なくとも一方を含む情報であるバージョン情報を前記表示部に表示する貯湯式給湯装置。
【請求項３】
水を加熱する加熱手段と、前記加熱手段により加熱された湯を貯留する貯湯タンクとを備える貯湯式給湯装置において、
前記貯湯式給湯装置の動作を制御する給湯機制御部と、
前記給湯機制御部と通信可能に接続され、情報を表示可能な表示部と、リモコン制御部とを有するリモコンと、
をさらに備え、
前記貯湯タンクに湯を蓄える沸き上げ運転の制御モードを、電力会社との契約に応じて、複数の制御モードのうちから選択して設定する沸き上げ運転モード設定操作を受け付け可能であり、
前記沸き上げ運転モード設定操作が行われると、前記給湯機制御部に記憶された制御プログラムのバージョンの情報と、前記リモコン制御部に記憶された制御プログラムのバージョンの情報との少なくとも一方を含む情報であるバージョン情報を前記表示部に表示する貯湯式給湯装置。
【請求項４】
水を加熱する加熱手段と、前記加熱手段により加熱された湯を貯留する貯湯タンクとを備える貯湯式給湯装置において、
前記貯湯式給湯装置の動作を制御する給湯機制御部と、
前記給湯機制御部と通信可能に接続され、情報を表示可能な表示部と、リモコン制御部とを有するリモコンと、
をさらに備え、
前記給湯機制御部に記憶された制御プログラムと、前記リモコン制御部に記憶された制御プログラムとの少なくとも一方が書き換えられると、前記給湯機制御部に記憶された制御プログラムのバージョンの情報と、前記リモコン制御部に記憶された制御プログラムのバージョンの情報との少なくとも一方を含む情報であるバージョン情報を前記表示部に表示する貯湯式給湯装置。
【請求項５】
水を加熱する加熱手段と、前記加熱手段により加熱された湯を貯留する貯湯タンクとを備える貯湯式給湯装置において、
前記貯湯式給湯装置の動作を制御する給湯機制御部と、
前記給湯機制御部と通信可能に接続され、情報を表示可能な表示部と、リモコン制御部とを有するリモコンと、
をさらに備え、
前記給湯機制御部及び／または前記リモコン制御部は、バージョンの異なる複数の制御プログラムを記憶しており、
前記複数の制御プログラムのうちから、使用する制御プログラムを選択するプログラム選択操作を受け付け可能であり、
前記プログラム選択操作が行われると、選択された制御プログラムのバージョン情報を前記表示部に表示する貯湯式給湯装置。
【請求項６】
前記バージョン情報を前記表示部に表示した場合に、所定時間が経過すると、前記バージョン情報の表示を終了する請求項１から請求項５のいずれか一項に記載の貯湯式給湯装置。
【請求項７】
前記リモコンは、操作部を有し、
前記バージョン情報を前記表示部に表示した場合に、前記操作部が操作されるまでは前記バージョン情報の表示を継続し、前記操作部が操作されると、前記バージョン情報の表示を終了する請求項１から請求項５のいずれか一項に記載の貯湯式給湯装置。
【請求項８】
前記バージョン情報をバーコードまたは二次元コードにより前記表示部に表示する請求項１から請求項７のいずれか一項に記載の貯湯式給湯装置。
【請求項９】
前記バージョン情報を前記表示部に表示するときに、前記貯湯式給湯装置の機種名及び製造番号を前記表示部に表示する請求項１から請求項８のいずれか一項に記載の貯湯式給湯装置。
【請求項１０】
前記バージョン情報を前記表示部に表示するときに、前記貯湯式給湯装置の動作仕様情報を前記表示部に表示する請求項１から請求項９のいずれか一項に記載の貯湯式給湯装置。
【発明の詳細な説明】
【技術分野】
【０００１】
本発明は、貯湯式給湯装置に関する。
【背景技術】
【０００２】
下記特許文献１には、複数台の給湯器の運転台数の制御を少なくとも一つのシステムコントローラによって行うマルチ給湯システム用の遠隔監視システムであって、インターネットに接続された管理サーバと、マルチ給湯システムのエラー確認、サービス手配等を行うコールセンターに設けられた監視端末と、メンテナンス業者が携行する通信端末とを設け、監視端末あるいは通信端末に、マルチ給湯システムの各構成機器毎の機種名及びソフトウェアバージョンを表示可能とする技術が開示されている。
【先行技術文献】
【特許文献】
【０００３】
【特許文献１】特開２０１７−５８０２６号公報
【発明の概要】
【発明が解決しようとする課題】
【０００４】
上述した従来の技術では、ソフトウェアバージョンの情報を知るには、コールセンターに設けられた監視端末あるいはメンテナンス業者が携行する通信端末に対して、作業者が所定の操作を行わなければならない。このため、ソフトウェアバージョンの情報を知りたいときに、その情報を容易に取得できない。
【０００５】
本発明は、上述のような課題を解決するためになされたもので、制御プログラムのバージョンの情報を必要なときに取得する上で有利になる貯湯式給湯装置を提供することを目的とする。
【課題を解決するための手段】
【０００６】
本発明に係る貯湯式給湯装置は、水を加熱する加熱手段と、加熱手段により加熱された湯を貯留する貯湯タンクとを備える貯湯式給湯装置において、貯湯式給湯装置の動作を制御する給湯機制御部と、給湯機制御部と通信可能に接続され、情報を表示可能な表示部と、リモコン制御部とを有するリモコンと、をさらに備え、貯湯式給湯装置の電源がオフからオンに切り替えられると、給湯機制御部に記憶された制御プログラムのバージョンの情報と、リモコン制御部に記憶された制御プログラムのバージョンの情報との少なくとも一方を含む情報であるバージョン情報を表示部に表示するものである。
また、本発明に係る貯湯式給湯装置は、水を加熱する加熱手段と、加熱手段により加熱された湯を貯留する貯湯タンクとを備える貯湯式給湯装置において、貯湯式給湯装置の動作を制御する給湯機制御部と、給湯機制御部と通信可能に接続され、情報を表示可能な表示部と、リモコン制御部とを有するリモコンと、をさらに備え、給湯機制御部は、貯湯式給湯装置の試運転を行う機能を有しており、試運転が実行されると、給湯機制御部に記憶された制御プログラムのバージョンの情報と、リモコン制御部に記憶された制御プログラムのバージョンの情報との少なくとも一方を含む情報であるバージョン情報を表示部に表示するものである。
また、本発明に係る貯湯式給湯装置は、水を加熱する加熱手段と、加熱手段により加熱された湯を貯留する貯湯タンクとを備える貯湯式給湯装置において、貯湯式給湯装置の動作を制御する給湯機制御部と、給湯機制御部と通信可能に接続され、情報を表示可能な表示部と、リモコン制御部とを有するリモコンと、をさらに備え、貯湯タンクに湯を蓄える沸き上げ運転の制御モードを、電力会社との契約に応じて、複数の制御モードのうちから選択して設定する沸き上げ運転モード設定操作を受け付け可能であり、沸き上げ運転モード設定操作が行われると、給湯機制御部に記憶された制御プログラムのバージョンの情報と、リモコン制御部に記憶された制御プログラムのバージョンの情報との少なくとも一方を含む情報であるバージョン情報を表示部に表示するものである。
また、本発明に係る貯湯式給湯装置は、水を加熱する加熱手段と、加熱手段により加熱された湯を貯留する貯湯タンクとを備える貯湯式給湯装置において、貯湯式給湯装置の動作を制御する給湯機制御部と、給湯機制御部と通信可能に接続され、情報を表示可能な表示部と、リモコン制御部とを有するリモコンと、をさらに備え、給湯機制御部に記憶された制御プログラムと、リモコン制御部に記憶された制御プログラムとの少なくとも一方が書き換えられると、給湯機制御部に記憶された制御プログラムのバージョンの情報と、リモコン制御部に記憶された制御プログラムのバージョンの情報との少なくとも一方を含む情報であるバージョン情報を表示部に表示するものである。
また、本発明に係る貯湯式給湯装置は、水を加熱する加熱手段と、加熱手段により加熱された湯を貯留する貯湯タンクとを備える貯湯式給湯装置において、貯湯式給湯装置の動作を制御する給湯機制御部と、給湯機制御部と通信可能に接続され、情報を表示可能な表示部と、リモコン制御部とを有するリモコンと、をさらに備え、給湯機制御部及び／またはリモコン制御部は、バージョンの異なる複数の制御プログラムを記憶しており、複数の制御プログラムのうちから、使用する制御プログラムを選択するプログラム選択操作を受け付け可能であり、プログラム選択操作が行われると、選択された制御プログラムのバージョン情報を表示部に表示するものである。
【発明の効果】
【０００７】
本発明によれば、制御プログラムのバージョンの情報を必要なときに取得する上で有利になる貯湯式給湯装置を提供することが可能となる。
【図面の簡単な説明】
【０００８】
【図１】実施の形態１による貯湯式給湯装置を示す図である。
【図２】実施の形態１による貯湯式給湯装置の制御動作のフローチャートである。
【図３】実施の形態２による貯湯式給湯装置の制御動作のフローチャートである。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による貯湯式給湯装置１００を示す図である。本実施の形態の貯湯式給湯装置１００は、商用電源から供給される電力によって運転可能である。図１に示すように、貯湯式給湯装置１００は、水を加熱する加熱手段に相当するヒートポンプユニット２と、貯湯タンク１を有するタンクユニット２６とを備えている。ヒートポンプユニット２内には、圧縮機、水冷媒熱交換器、膨張弁、空気熱交換器を冷媒配管で順次接続した冷凍サイクル装置が備えられている。加熱循環回路３は、貯湯タンク１の下部とヒートポンプユニット２の水冷媒熱交換器の入水口とを接続し、水冷媒熱交換器の出湯口と貯湯タンク１の上部とを接続している。加熱循環回路３の途中にはＨＰ循環ポンプ４が設けられている。
【００１１】
貯湯式給湯装置１００は、ヒートポンプユニット２により加熱された湯を貯湯タンク１に蓄積する運転である沸き上げ運転を実行できる。沸き上げ運転のときには、ＨＰ循環ポンプ４及びヒートポンプユニット２を動作させることで、貯湯タンク１の下部から取り出した水をヒートポンプユニット２内の水冷媒熱交換器に導き、水冷媒熱交換器内で加熱して高温の湯を生成し、この高温の湯を貯湯タンク１の上部に流入させる。沸き上げ運転は、主として、深夜時間帯に、翌日に使用する湯を貯湯タンク１に貯えるように実施する。
【００１２】
貯湯タンク１には、第１の温度センサ５ａ、第２の温度センサ５ｂ、第３の温度センサ５ｃ、及び第４の温度センサ５ｄが、互いに異なる高さの位置に取り付けられている。例えば、第１の温度センサ５ａ、第２の温度センサ５ｂ、第３の温度センサ５ｃ、及び第４の温度センサ５ｄの位置は、それぞれ、貯湯タンク１内の上部からの容積が０Ｌ、５０Ｌ、１００Ｌ、及び１５０Ｌとなる位置でもよい。これらの温度センサにより貯湯タンク１内の鉛直方向の温度分布を検出することにより、貯湯タンク１内の残湯量及び蓄熱量を検出することができる。
【００１３】
貯湯タンク１の下部とヒートポンプユニット２との間の加熱循環回路３に設けられた入水温度センサ５ｅは、ヒートポンプユニット２に流入する水の温度を検出する。加熱循環回路３と貯湯タンク１の上部との接続部に設けられた加熱温度センサ５ｆは、ヒートポンプユニット２から貯湯タンク１の上部に流入する湯の温度である沸き上げ温度を検出する。
【００１４】
一般給湯側電動混合弁６は、貯湯タンク１の上部に接続された給湯管７からの高温湯と、水道管等の水源に接続された給水管８からの水とを混合することにより、設定温度の湯を生成する。その湯は、混合給湯管９を経由して蛇口等の給湯先（図示省略）に供給される。
【００１５】
給水管８には、給水温度センサ２２が設けられ、給水管８を流れる水の温度を検出する。混合給湯管９には、給湯用流量センサ１８及び給湯用温度センサ１９が設けられ、混合給湯管９を流れる湯の流量及び温度を検出する。
【００１６】
風呂給湯側電動混合弁１０は、給湯管７からの高温湯と、給水管８からの水とを混合することにより、設定温度の湯を生成する。その湯は、混合風呂管１７、風呂側循環回路１１を経由して、浴槽（図示省略）に供給される。浴槽湯張り時の給湯の開始及び停止は、混合風呂管１７に設けられた電磁弁１２により制御される。混合風呂管１７には、風呂用流量センサ２０及び風呂用温度センサ２１が設けられ、混合風呂管１７を流れる湯の流量及び温度を検出する。
【００１７】
風呂側循環回路１１は、風呂循環ポンプ１３により浴槽から浴水を引き込み、熱交換器１４を経由して浴槽に戻る経路である。また、タンク側循環回路１５は、貯湯タンク１の上部から貯湯タンク１内の湯をタンク循環ポンプ１６で引き込み、熱交換器１４を経由して貯湯タンク１の下部に繋がる経路である。追い焚き時には、風呂循環ポンプ１３及びタンク循環ポンプ１６が駆動され、風呂循環ポンプ１３により浴槽から風呂側循環回路１１に引き込まれた浴水は、タンク循環ポンプ１６により貯湯タンク１の上部からタンク側循環回路１５に引き込まれた高温湯と、熱交換器１４を介して熱交換されて浴槽に戻る。浴水が設定温度となったところで風呂循環ポンプ１３及びタンク循環ポンプ１６の動作を停止し、追い焚きを終了する。
【００１８】
貯湯式給湯装置１００の動作を制御するための給湯機制御部２４がタンクユニット２６内に設けられている。給湯機制御部２４は、ヒートポンプユニット２、ＨＰ循環ポンプ４、第１〜第４の温度センサ５ａ〜５ｄ、入水温度センサ５ｅ、加熱温度センサ５ｆ、一般給湯側電動混合弁６、風呂給湯側電動混合弁１０、電磁弁１２、風呂循環ポンプ１３、タンク循環ポンプ１６、給湯用流量センサ１８、給湯用温度センサ１９、風呂用流量センサ２０、風呂用温度センサ２１、及び給水温度センサ２２のそれぞれと電気的に接続されている。給湯機制御部２４は、プロセッサ及びメモリを備える。給湯機制御部２４は、メモリに記憶された制御プログラムをプロセッサが実行することにより、ヒートポンプユニット２及びタンクユニット２６の動作を制御する。
【００１９】
本実施の形態の貯湯式給湯装置１００は、ユーザーインターフェースに相当するリモコン２５を備えている。リモコン２５は、例えば浴室、台所等に設置される。リモコン２５は、情報を表示する表示部２５ａと、使用者等の人間が操作する操作部２５ｂと、リモコン制御部２５ｃとを有している。給湯機制御部２４とリモコン制御部２５ｃとの間は、有線通信または無線通信により、双方向に通信可能である。表示部２５ａは、例えば液晶ディスプレイまたは有機ＥＬ（Ｅｌｅｃｔｒｏ−Ｌｕｍｉｎｅｓｃｅｎｃｅ）ディスプレイにより構成されていてもよい。操作部２５ｂは、操作ボタン、キー、ダイヤルなどを備えていてもよい。また、リモコン２５は、表示部２５ａ及び操作部２５ｂの機能を兼ね備えるタッチスクリーンを有していてもよい。リモコン制御部２５ｃは、プロセッサ及びメモリを備える。リモコン制御部２５ｃは、メモリに記憶された制御プログラムをプロセッサが実行することにより、リモコン２５の動作を制御する。使用者は、リモコン２５の操作部２５ｂを操作することにより、例えば、給湯温度の設定、沸き上げ運転、浴槽湯張り、浴槽追い焚き等の動作指示あるいは予約などを行うことができる。リモコン２５の表示部２５ａには、給湯設定温度などの情報を表示可能である。
【００２０】
近年、電力自由化などにより、電力会社の電気料金体系が変化及び多様化してきている。また、沸き上げ運転の仕方などにより、公的機関の補助金制度が適用されるなど、貯湯式給湯装置１００における沸き上げ運転の仕方には、様々な方式が求められてきている。沸き上げ運転の仕方とは、例えば、沸き上げ運転の開始時刻及び終了時刻、沸き上げ温度、貯湯タンク１の貯湯量などをどのように制御するかである。
【００２１】
本実施の形態であれば、給湯機制御部２４が実行する制御プログラムを、異なるバージョンの制御プログラムに変更することで、様々な沸き上げ運転の仕方に対応することができる。このため、貯湯式給湯装置１００の製作コストを抑えながら、電力会社の電気料金体系の変化及び多様化に対応したり、公的機関の補助金制度に対応したりすることが可能となる。制御プログラムのバージョンの情報を以下「バージョン情報」と称する。
【００２２】
給湯機制御部２４に記憶された制御プログラムは、自身のバージョン情報を保有している。給湯機制御部２４は、そのバージョン情報をリモコン２５へ送信可能である。
【００２３】
貯湯式給湯装置１００の沸き上げ運転の仕方によって、電力会社の電気料金割引制度である通電制御割引の適用の有無が決定する。このため、従来より、貯湯式給湯装置１００の施工時に、その機種名を電力会社に申請することが行われている。今後は、電力会社の電気料金体系の変化及び多様化、あるいは公的機関の補助金制度の適用などにより、貯湯式給湯装置１００の施工時にその機種名を電力会社あるいは公的機関などに申請する場合が増えることが想定される。また、同じ機種の貯湯式給湯装置１００であっても、給湯機制御部２４が実行する制御プログラムのバージョンによって、沸き上げ運転の仕方が異なる。このため、貯湯式給湯装置１００の機種名だけでなく、給湯機制御部２４の制御プログラムのバージョン情報についても、電力会社あるいは公的機関などに申請する必要性が出てくることが予想される。このため、貯湯式給湯装置１００の施工時など、給湯機制御部２４の制御プログラムのバージョン情報を電力会社あるいは公的機関などに申請する必要性があるときに、当該バージョン情報を施工業者等が容易に知ることができれば、利便性が良好となる。
【００２４】
貯湯式給湯装置１００の施工が完了すると、施工業者等は、貯湯式給湯装置１００の電源を投入する。本実施の形態における貯湯式給湯装置１００は、貯湯式給湯装置１００の電源がオフからオンに切り替えられると、給湯機制御部２４に記憶された制御プログラムのバージョン情報を表示部２５ａに表示するように構成されている。このため、貯湯式給湯装置１００の電源が投入されたときに、バージョン情報が表示部２５ａに自動で表示されるので、施工業者等は、特段の操作を必要とすることなく、バージョン情報を容易に確認することができる。このため、バージョン情報を電力会社あるいは公的機関などに申請する場合に、優れた利便性が得られる。
【００２５】
なお、本実施の形態では、リモコン制御部２５ｃが実行する制御プログラムを、異なるバージョンの制御プログラムに変更可能としてもよい。その場合には、以下のようにしてもよい。リモコン制御部２５ｃに記憶された制御プログラムは、自身のバージョン情報を保有している。給湯機制御部２４の制御プログラムのバージョン情報を表示部２５ａに表示するときに、リモコン制御部２５ｃの制御プログラムのバージョン情報を併せて表示してもよい。あるいは、リモコン制御部２５ｃの制御プログラムのバージョン情報のみを表示してもよい。
【００２６】
以下では、給湯機制御部２４の制御プログラムに関する事項を中心に説明するが、同様の事項をリモコン制御部２５ｃの制御プログラムについて適用してもよい。また、以下の説明において、単に「制御プログラム」と表記した場合には、原則として、給湯機制御部２４の制御プログラムと、リモコン制御部２５ｃの制御プログラムとの少なくとも一方を含むものとする。また、単に「バージョン情報」と表記した場合には、原則として、給湯機制御部２４の制御プログラムのバージョン情報と、リモコン制御部２５ｃの制御プログラムのバージョン情報との少なくとも一方を含む情報であるものとする。
【００２７】
図２は、実施の形態１による貯湯式給湯装置１００の制御動作のフローチャートである。図２のステップＳ１で、給湯機制御部２４は、貯湯式給湯装置１００の電源が投入されたかどうかを判断する。電源が投入された場合、すなわち電源がオフからオンに切り替えられた場合には、ステップＳ２へ進み、給湯機制御部２４は、自身のメモリに記憶されている制御プログラムのバージョン情報をリモコン制御部２５ｃへ送信する。バージョン情報は、例えば、「ｖ０１００」のように、文字及び数字を含むものでもよいし、文字のみ、あるいは数字のみを含むものでもよい。
【００２８】
ステップＳ２からステップＳ３へ進み、リモコン制御部２５ｃは、給湯機制御部２４から受信したバージョン情報を表示部２５ａに表示する。続いて、ステップＳ４として、リモコン制御部２５ｃは、バージョン情報を表示部２５ａに表示してから所定時間が経過したか否かを判断する。所定時間は、例えば１０分間でもよい。所定時間が経過した場合には、ステップＳ５へ進み、リモコン制御部２５ｃは、表示部２５ａによるバージョン情報の表示を非表示とし、バージョン情報の表示を終了する。
【００２９】
以上説明したように、本実施の形態であれば、貯湯式給湯装置１００の施工時に、制御プログラムのバージョン情報を電力会社あるいは公的機関などに申請する場合に、バージョン情報を確認するための特段の操作を必要とすることなく、表示部２５ａからバージョン情報を知ることができる。このため、優れた利便性が得られる。また、制御プログラムのバージョン情報を表示するための特段の操作を必要としないため、操作のための部品点数の追加によるコストの増加を抑えることができる。
【００３０】
電力会社あるいは公的機関などに対するバージョン情報の申請は、通常、施工業者が行う。このため、エンドユーザーにとっては、バージョン情報は必要でない。本実施の形態であれば、表示部２５ａにバージョン情報を表示した場合に、所定時間が経過すると、表示部２５ａのバージョン情報の表示が自動で終了される。このため、施工業者は、表示部２５ａのバージョン情報の表示を終了させる操作を行う必要がないので、利便性が良好となる。また、エンドユーザーにとって不要なバージョン情報が表示部２５ａに表示されている状態で貯湯式給湯装置１００がエンドユーザーに引き渡されることを確実に防止できる。
【００３１】
図２のステップＳ４及びステップＳ５の処理に代えて、以下のようにしてもよい。リモコン制御部２５ｃは、バージョン情報を表示部２５ａに表示した場合に、操作部２５ｂが操作されるまでは表示部２５ａのバージョン情報の表示を継続し、操作部２５ｂが操作されると、表示部２５ａのバージョン情報の表示を終了してもよい。このようにすることで、施工業者等が表示部２５ａのバージョン情報の表示を確認する前にバージョン情報の表示が自動で終了してしまうことがないという利点がある。この場合、施工業者等は、表示部２５ａのバージョン情報の表示を確認した後に、操作部２５ｂを操作することによって表示部２５ａのバージョン情報の表示を終了させることができる。このため、エンドユーザーにとって不要なバージョン情報が表示部２５ａに表示されている状態で貯湯式給湯装置１００がエンドユーザーに引き渡されることを確実に防止できる。
【００３２】
バージョンが異なる複数の制御プログラムが給湯機制御部２４に記憶されており、その複数の制御プログラムのうちから、使用する制御プログラムを選択できるように構成されている場合には、複数の制御プログラムのうち、選択されている制御プログラムのバージョン情報を表示部２５ａに表示することが望ましい。
【００３３】
給湯機制御部２４は、沸き上げ運転の仕方が異なる複数の制御モードを有していてもよい。そして、貯湯式給湯装置１００は、沸き上げ運転の制御モードとして、電力会社との契約に対応した制御モードを、当該複数の制御モードのうちから選択して設定する操作を受け付け可能となるように構成されていてもよい。当該操作を以下「沸き上げ運転モード設定操作」と称する。例えば、リモコン２５の操作部２５ｂを操作することで、沸き上げ運転モード設定操作を行うことができるようにしてもよい。
【００３４】
貯湯式給湯装置１００は、沸き上げ運転モード設定操作が行われた場合に、バージョン情報を表示部２５ａに表示するように構成されていてもよい。これにより、貯湯式給湯装置１００の施工時に、沸き上げ運転モード設定操作を行っている間に、バージョン情報を容易に確認することができる。このため、電力会社あるいは公的機関などにバージョン情報を申請する場合に、バージョン情報を確認するための特段の操作を必要とせず、利便性の良い貯湯式給湯装置１００を得ることができる。
【００３５】
また、施工業者等は、電力会社あるいは公的機関などにバージョン情報を申請する際に、バージョン情報を確認するために沸き上げ運転モード設定操作を実施することが必要となる。このため、施工業者等が施工時に沸き上げ運転モード設定操作の実施をし忘れることを確実に防止できる。
【００３６】
給湯機制御部２４に記憶された制御プログラム、あるいはリモコン制御部２５ｃに記憶された制御プログラムを、別のバージョンの制御プログラムに書き換えることができるように構成されてもよい。例えば、プログラム書き換えツールを有するコンピュータ（図示省略）を給湯機制御部２４あるいはリモコン制御部２５ｃに対して接続することにより、給湯機制御部２４あるいはリモコン制御部２５ｃのメモリに記憶された制御プログラムを書き換えてもよい。また、給湯機制御部２４あるいはリモコン制御部２５ｃは、インターネット等のネットワークを介して外部サーバから別のバージョンの制御プログラムを取得することで制御プログラムを書き換え可能に構成されていてもよい。そのようにすることで、電力会社の電気料金体系、あるいは公的機関の補助金制度の追加または変化があった場合でも、使用者は、これに対応した制御プログラムをインターネット等から取得して、この制御プログラムのバージョン情報を申請することができる。これにより、新たな制御プログラムが記憶された製品を購入しなくても、追加または変更された電力会社の電気料金体系あるいは公的機関の補助金制度の恩恵を受けることが可能となる。以下の説明では、制御プログラムを別のバージョンの制御プログラムに書き換える操作を「プログラム書き換え操作」と称する。
【００３７】
また、沸き上げ運転の仕方が異なる複数の制御プログラムを給湯機制御部２４のメモリに記憶しておき、例えばリモコン２５を操作することによって、その複数の制御プログラムのうちから、使用する制御プログラムすなわち給湯機制御部２４のプロセッサが実行する制御プログラムを選択できるように構成してもよい。以下の説明では、そのようにして、バージョンの異なる複数の制御プログラムのうちの一つを選択する操作を「プログラム選択操作」と称する。また、リモコン制御部２５ｃの制御プログラムに対して、プログラム選択操作が可能となるように構成してもよい。例えば、異なる仕方の沸き上げ運転に対応する複数の制御プログラムをリモコン制御部２５ｃのメモリに記憶しておき、例えばリモコン２５を操作することによって、その複数の制御プログラムのうちから、使用する制御プログラムすなわちリモコン制御部２５ｃのプロセッサが実行する制御プログラムを選択できるように構成してもよい。
【００３８】
貯湯式給湯装置１００の運用が開始された後に、プログラム書き換え操作あるいはプログラム選択操作を行ってもよい。そのようにすることで、貯湯式給湯装置１００の運用が開始された後に、電力会社の電気料金体系の変化及び多様化に対応したり、公的機関の補助金制度の変化に対応したりすることが可能となる。
【００３９】
貯湯式給湯装置１００は、プログラム書き換え操作あるいはプログラム選択操作が行われた場合に、書き換え後の制御プログラムのバージョン情報あるいは選択された制御プログラムのバージョン情報を表示部２５ａに表示するように構成されていてもよい。プログラム書き換え操作あるいはプログラム選択操作が行われた場合に、バージョン情報を自動で表示部２５ａに表示することで、電力会社あるいは公的機関などにバージョン情報を申請する場合に、バージョン情報を確認するための特段の操作を必要としないので、利便性の良い貯湯式給湯装置１００を得ることができる。また、バージョン情報を表示部２５ａに表示した後は、前述した説明と同様にして、所定時間が経過するとバージョン情報の表示を自動で終了するか、あるいは操作部２５ｂが操作されることを待ってバージョン情報の表示を終了するようにしてもよい。
【００４０】
バージョン情報をバーコードまたは二次元コードにより表示部２５ａに表示してもよい。これにより、バージョン情報を電力会社あるいは公的機関などに申請する場合に、施工業者等が所持する携帯通信端末のカメラによりバーコードまたは二次元コードを読み取り、ネットワークを利用したデータ送信などを利用して申請を行うことが可能となる。これにより、施工業者等がバージョン情報の表示を読み間違えたりすることを確実に防止できる。なお、二次元コードは、例えばＱＲコード（ＱＲコードは登録商標）でもよい。
【００４１】
バージョン情報を表示部２５ａに表示するときに、貯湯式給湯装置１００の機種名及び製造番号を表示部２５ａに併せて表示してもよい。これにより、電力会社あるいは公的機関などに貯湯式給湯装置１００の情報を申請する際に、必要な情報の不足をより確実に防ぐことが可能となる。
【００４２】
バージョン情報を表示部２５ａに表示するときに、貯湯式給湯装置１００の動作仕様情報を表示部２５ａに併せて表示してもよい。動作仕様情報とは、電力会社あるいは公的機関への申請が必要になると想定される情報であり、例えば「沸き上げ制御時間帯：２３時〜７時」のように、沸き上げ運転の開始時刻及び終了時刻を示す情報でもよい。バージョン情報とともに動作仕様情報を表示部２５ａに表示することで、施工業者等は、電力会社あるいは公的機関などに貯湯式給湯装置１００の情報を申請する際に、取扱説明書の確認などによって動作仕様情報を調査する手間が省ける。また、電力会社の電気料金体系あるいは公的機関の補助金制度の追加または変化に対応した新たなバージョンの制御プログラムがリリースされて、このバージョンの制御プログラムへの書き換えを行った場合には、取扱説明書を見ても動作仕様情報を得ることができないため、リモコン２５の表示部２５ａから動作仕様情報を得られることは利便性の向上につながる。
【００４３】
実施の形態２．
次に、図３を参照して、実施の形態２について説明するが、前述した実施の形態１との相違点を中心に説明し、同一部分または相当部分については説明を簡略化または省略する。
【００４４】
本実施の形態において、給湯機制御部２４は、貯湯式給湯装置１００が正常に動作するか否かを試すための試運転を行う機能を有している。試運転が実行されると、バージョン情報を表示部２５ａに表示する。本実施の形態であれば、貯湯式給湯装置１００の施工時の試運転が行われているときに、バージョン情報が自動で表示部２５ａに表示される。これにより、制御プログラムのバージョン情報を電力会社あるいは公的機関などに申請する場合に、バージョン情報を確認するための特段の操作を必要とすることなく、表示部２５ａからバージョン情報を知ることができる。このため、優れた利便性が得られる。
【００４５】
図３は、実施の形態２による貯湯式給湯装置１００の制御動作のフローチャートである。リモコン２５に対して所定の操作を行うと、試運転が開始される。図３のステップＳ１１で、給湯機制御部２４は、試運転が開始されたかどうかを判断する。試運転が開始された場合には、ステップＳ１２へ進み、給湯機制御部２４は、自身のメモリに記憶されている制御プログラムのバージョン情報をリモコン制御部２５ｃへ送信する。ステップＳ１２からステップＳ１３へ進み、リモコン制御部２５ｃは、給湯機制御部２４から受信したバージョン情報を表示部２５ａに表示する。続いて、ステップＳ１４として、給湯機制御部２４またはリモコン制御部２５ｃは、試運転が終了したかどうかを判断する。試運転が終了した場合には、ステップＳ１５へ進み、リモコン制御部２５ｃは、表示部２５ａによるバージョン情報の表示を非表示とし、バージョン情報の表示を終了する。
【００４６】
以上説明したように、本実施の形態であれば、貯湯式給湯装置１００の施工時の試運転を行っている間に、施工業者等は、バージョン情報を確認するための特段の操作を必要とすることなく、表示部２５ａからバージョン情報を知ることができる。このため、施工時に制御プログラムのバージョン情報を電力会社あるいは公的機関などに申請する場合に、優れた利便性が得られる。なお、試運転の終了時にバージョン情報の表示を終了することに代えて、実施の形態１と同様に、所定時間が経過するとバージョン情報の表示を自動で終了するか、あるいは操作部２５ｂが操作されることを待ってバージョン情報の表示を終了するようにしてもよい。
【００４７】
施工業者等は、電力会社あるいは公的機関などにバージョン情報を申請する際に、バージョン情報を確認するために試運転の実行が必要となる。このため、本実施の形態であれば、施工業者等が試運転をし忘れることを確実に防止できる。
【符号の説明】
【００４８】
１  貯湯タンク、  ２  ヒートポンプユニット、  ３  加熱循環回路、  ４  ＨＰ循環ポンプ、  ５ａ  第１の温度センサ、  ５ｂ  第２の温度センサ、  ５ｃ  第３の温度センサ、  ５ｄ  第４の温度センサ、  ５ｅ  入水温度センサ、  ５ｆ  加熱温度センサ、  ６  一般給湯側電動混合弁、  ７  給湯管、  ８  給水管、  ９  混合給湯管、  １０  風呂給湯側電動混合弁、  １１  風呂側循環回路、  １２  電磁弁、  １３  風呂循環ポンプ、  １４  熱交換器、  １５  タンク側循環回路、  １６  タンク循環ポンプ、  １７  混合風呂管、  １８  給湯用流量センサ、  １９  給湯用温度センサ、  ２０  風呂用流量センサ、  ２１  風呂用温度センサ、  ２２  給水温度センサ、  ２４  給湯機制御部、  ２５  リモコン、  ２５ａ  表示部、  ２５ｂ  操作部、  ２５ｃ  リモコン制御部、  ２６  タンクユニット、  １００  貯湯式給湯装置
【図１】
2020148393.tif 000003
【図２】
2020148393.tif 000004
【図３】
2020148393.tif 000005